(57)【要約】【課題】記録再生ヘッドをディスクの表面にアクセスさせるための開口部を開閉するロータリーシャッタを備え、このロータリーシャッタが、上シェルに回転可能に軸支された上シャッタ部材と、下シェルに回転可能に軸支された下シャッタ部材とによって構成されてなるディスクカートリッジにおいて、上シャッタ部材の軸支部を組み立てる際の溶接工程を無くして、溶接に伴うスパッタ屑の発生を防止する。【解決手段】上シャッタ部材７Ｕの軸支部における小径の軸筒３ａをアルミニウム合金で形成し、この軸筒３ａの先端部に対する抜け防止処理を、カシメ加工によって施す。【選択図】　　　　　図１
2004127373.tif 000002
【特許請求の範囲】
【請求項１】
金属板からなる上下シェルを備えた扁平なハウジング内に、中心部がセンタコアに固定された記録媒体としてのディスクを回転自在に収容してなるディスクカートリッジであって、前記ハウジングが、前記センタコアを外部に臨ませるために前記下シェルに形成された中心孔と、ドライブ装置が備えている記録再生ヘッドを前記ディスクの表面にアクセスさせるための開口部と、該開口部を開閉するロータリーシャッタとを備え、該ロータリーシャッタが、前記上シェルに回転可能に軸支された上シャッタ部材と、前記下シェルに回転可能に軸支された下シャッタ部材とによって構成されてなるディスクカートリッジにおいて、
前記上シャッタ部材および下シャッタ部材の双方の軸支部における軸筒の先端部に対する抜け防止処理が、カシメ加工によって施されていることを特徴とするディスクカートリッジ。
【請求項２】
前記上シェルに、前記上シャッタ部材を軸支するアルミニウム合金からなる軸筒が形成されていることを特徴とする請求項１記載のディスクカートリッジ。
【請求項３】
前記上シャッタ部材に、前記上シェルに軸支されるアルミニウム合金からなる軸筒が形成されていることを特徴とする請求項１記載のディスクカートリッジ。
【発明の詳細な説明】
【０００１】
【発明の属する技術分野】
本発明は、フレームと該フレームの上下に被せられた金属板からなる上下シェルとによって構成された扁平なハウジング内に、記録媒体としてのディスクを回転自在に収容してなる小形ディスクカートリッジに関し、特にハウジングに形成された記録再生ヘッドアクセス用の開口部を開閉するロータリーシャッタの軸支構造に関するものである。
【０００２】
【従来の技術】
従来、デジタルカメラ等のモバイル機器においては、記録媒体として例えば図４〜図７に示すような「ｃｌｉｋ！（登録商標）」と呼ばれる超小型の磁気ディスクカートリッジが使用されている。
【０００３】
この磁気ディスクカートリッジ１は、図４（ａ）〜（ｃ）にそのロータリーシャッタ７が閉状態にある平面図、右側面図および底面図を、図５（ａ），（ｂ）にロータリーシャッタ７が開状態にある平面図および底面図を、図６にその分解斜視図をそれぞれ示すように、押込み部２ａを含む樹脂製のフレーム２と、金属薄板からなる上下シェル３，４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスク５を回転自在に収容している。
【０００４】
この磁気ディスクカートリッジ１は、このカートリッジ１が挿入態様で装填されるドライブ装置が備えている磁気ヘッドを磁気ディスク５の表面にアクセスさせるためのＶ字状の開口６と、この開口６を開閉するロータリーシャッタ７とが設けられている。ロータリーシャッタ７は互いに係合された上下のシャッタ部材７Ｕ、７Ｄ（図５参照）からなり、上シャッタ部材７Ｕは上シェル３に、下シャッタ部材７Ｄは下シェル４にそれぞれ回転可能に軸支されている。そして、磁気ディスク５と上下のシャッタ部材７Ｕ、７Ｄとの間には、それぞれライナー１８が介挿されている。
【０００５】
また、図４（ａ）におけるハウジングの左側面先端部には、ドライブ装置の係合部材に係合させて、ドライブ装置内での位置決めを確実にするためのノッチ８が形成され、右側面先端部には、ロータリーシャッタ７を閉位置にロックするシャッタロック部材１１を外部に臨ませる小窓９が形成されている。
【０００６】
ハウジングの下シェル４には、磁気ディスク５のセンタコア１０を外部に臨ませる円形の中心孔４ａと、ロータリーシャッタ７と同心的な円弧状溝４ｂとが形成され、下シャッタ部材７Ｄには、上記円弧状溝４ｂから突出しかつこの円弧状溝４ｂに沿って移動してロータリーシャッタ７を開閉するシャッタノブ７ｂが固設されている。
【０００７】
図７（ａ）は閉状態にあるロータリーシャッタ７を、図７（ｂ）は開状態にあるロータリーシャッタ７を、それぞれ上シェル３を取り除きかつ磁気ディスク５を省略して示す平面図である。
【０００８】
ロータリーシャッタ７の外周に形成された係合凹部７ｃに係入し得る係合凸部１１ａを先端に備えて、ロータリーシャッタ７を閉位置にロックするシャッタロック部材１１は、ハウジングに設けられた軸１２に回動自在に取り付けられているとともに、ばね板１１ｂによって、上記係合凸部１１ａが上記係合凹部７ｃに係入し得る方向（図７の反時計方向）にばね付勢されている。そして、磁気ディスクカートリッジ１がドライブ装置へ挿入される際に、ドライブ装置側に設けられたロック解除部材が小窓９を通してこのシャッタロック部材１１を押圧することにより、ロック部材１１が時計方向に僅かに回動されて、係合凸部１１ａが係合凹部７ｃから脱出することによって、ロータリーシャッタ７のロックが解除されるように構成されている。
【０００９】
ロータリーシャッタ７は、小径の細長いコイルばね１４によって閉方向（図７の反時計方向）にばね付勢されている。このコイルばね１４の装着のためにガイドワイヤ１３が設けられている。このガイドワイヤ１３の一端は、ロータリーシャッタ７の外周面に対向する部位２ｂにおいてフレーム２に係止され、他端は、ロータリーシャッタ７の外周面に固設された支持部材７ｄをスライド可能に貫通する態様でロータリーシャッタ７の外周に沿って延びている。コイルばね１４は、図７（ａ）に示すように、ガイドワイヤ１３に沿って伸縮するようにフレーム２の上記部位２ｂと支持部材７ｄとの間に縮装されて、ロータリーシャッタ７を閉方向（図７の反時計方向）にばね付勢している。この状態から、ロックを解除されたロータリーシャッタ７が図７の時計方向に回動されると、コイルばね１４が図７（ｂ）に示すように圧縮されるように構成されている。
【００１０】
図８は、ロータリーシャッタ７の軸支構造を示す拡大断面図である。なお、磁気ディスク５、センタコア１０およびライナー１８が省略してある。
【００１１】
図８において、センタコア１０を外部に臨ませるために下シェル４の中心部に形成された中心孔４ａの周壁は、ハウジング内に入り込んで下シャッタ部材７Ｄの軸受部４ｂを形成しており、下シャッタ部材７Ｄの中心孔の周囲に外方（下方）に向かって突設された大径の円筒体７Ｄａが軸筒として軸受部４ｂに挿通された後、先端部にカシメ加工が施されて抜け止め用のフランジ２１が形成され、この状態で下シャッタ部材７Ｄが回転可能に軸支されている。
【００１２】
一方、上シェル３の中心部には、小径の円筒体３ａが軸筒としてバーリング加工により内方へ向かって突設され、この円筒体３ａが上シャッタ部材７Ｕの中心孔に挿通された後、円筒体３ａの先端に抜け止め用のセンタピン１７が溶接により固着されている。上シェル３の上面には、バーリング加工により形成された小孔を塞ぐ役目を兼ねるラベル２０が貼りつけられている。
【００１３】
【発明が解決しようとする課題】
ところで、上述した従来の磁気ディスクカートリッジ１においては、下シェル４はセンタコア１０を外部に臨ませる必要があるため、大きな中心孔４ａを開けざるを得ないが、カートリッジ１全体の剛性（勿論、ロータリーシャッタ７、上下シェル３，４部品単品の剛性）を確保するためには、上シェル３に軸筒を形成するためのバーリング加工により生じる孔はできるだけ小さい方が望ましいから、軸筒としての円筒体３ａはできるだけ小径であることが望ましい。
【００１４】
上下シェル３，４および上下シャッタ部材７Ｕ、７Ｄの素材として厚さ０．２ｍｍ程度のステンレス鋼板が使用されているが、この素材は比較的硬いので、下シャッタ部材７Ｄに軸筒として突設された円筒体７Ｄａのように直径が比較的大きい場合には、その先端にカシメ加工を施して抜け止め用のフランジ２１を形成することは容易であっても、上シャッタ部材７Ｕを軸支するために上シェル３に突設された円筒体３ａは小径なため、不用意にカシメ加工を施すと円筒体３ａの先端部に割れが発生する虞れがある。
【００１５】
そこで従来は、円筒体３ａの先端に抜け止め用のセンタピン１７が溶接により固着していたが、溶接時にスパッタ屑が発生し、この微細な屑が記録媒体としての磁気ディスク５の表面に付着して、データの読み書きに悪影響を及ぼすという問題が生じた。さらに、スパッタ屑によって組立て現場の作業環境が汚染されるという問題もあった。
【００１６】
上述の事情に鑑み、本発明は、組立て時における軸支部の溶接工程を無くすことによって、上記問題を解決したこの種のディスクカートリッジを提供することを目的とするものである。
【００１７】
【課題を解決するための手段】
本発明は、金属板からなる上下シェルを備えた扁平なハウジング内に、中心部がセンタコアに固定された記録媒体としてのディスクを回転自在に収容してなるディスクカートリッジであって、上記ハウジングが、上記センタコアを外部に臨ませるために下シェルに形成された中心孔と、ドライブ装置が備えている記録再生ヘッドを上記ディスクの表面にアクセスさせるための開口部と、この開口部を開閉するロータリーシャッタとを備え、このロータリーシャッタが、上シェルに回転可能に軸支された上シャッタ部材と、下シェルに回転可能に軸支された下シャッタ部材とによって構成されてなるディスクカートリッジにおいて、
上記上シャッタ部材および下シャッタ部材の双方の軸支部における軸筒の先端部に対する抜け防止処理が、カシメ加工によって施されていることを特徴とするものである。
【００１８】
比較的小径の軸筒の先端部にカシメ加工を施す場合には、その軸筒が例えばアルミニウム合金のような比較的軟らかい金属材料で形成されていることが好ましく、本発明の一つの態様によれば、上記上シェルに、上記上シャッタ部材を軸支するアルミニウム合金からなる軸筒が形成される。
【００１９】
本発明の他の態様によれば、上記上シャッタ部材に、上記上シェルに軸支されるアルミニウム合金からなる軸筒が形成される。
【００２０】
いずれの場合でも、軸筒が形成されるシャッタ部材またはシェル全体をアルミニウム合金で作成し、これにバーリング加工または絞り加工によって軸筒を形成してもよいが、シャッタ部材またはシェルは剛性の高いステンレス鋼板で形成し、カシメ加工に適した軟質のアルミニウム合金等により別体として作成した軸筒をシャッタ部材またはシェルに溶接により固着してもよい。溶接の場合、位置決め用の突起を絞り加工によりシャッタ部材またはシェルに絞り加工により予め形成しておいてもよい。また、軸筒を円筒体でなく、カシメ加工に適した軟質のアルミニウム合金等からなる密実の円柱体で形成してもよい。その場合には、カシメ加工がしやすいように、円柱の上面の外周に沿って環状壁を形成することが好ましい。
【００２１】
【発明の効果】
本発明のディスクカートリッジによれば、上シャッタ部材および下シャッタ部材の双方の軸支部における軸筒の先端部に対する抜け防止処理が、カシメ加工によって施されることにより、組立て時における接工程を無くすことができ、これによって、溶接工程に伴うスパッタ屑の発生が記録媒体としての磁気ディスクのデータの読み書きに悪影響を及ぼしたり、作業環境を汚染したりする問題が解決される。
【００２２】
そして、先端部にカシメ加工が施される比較的小径の軸筒を比較的軟らかい金属であるアルミニウム合金で形成することにより、塑性変形（延伸）させやすいため、小径の軸等先端部のカシメ加工に伴う割れの発生を防止することができる。
【００２３】
また、シャッタ部材またはシェルとは別体の軸筒をシャッタ部材またはシェルに溶接により固着する場合には、バーリング加工で生じるような孔がないので、ャッタ部材またはシェルの剛性をさらに高めることができるとともに、カシメ加工性の良い軟質の材料で軸筒を形成することができる。
【００２４】
【発明の実施の形態】
以下、本発明の実施の形態について、図面を参照して詳細に説明する。
【００２５】
図１は、本発明による磁気ディスクカートリッジの第１の実施の形態におけるロータリーシャッタの軸支構造を、図７に対応させて示す拡大断面図である。
【００２６】
図１において、センタコア１０を外部に臨ませるために下シェル４の中心部に形成された中心孔４ａの周壁は、ハウジング内に入り込んで下シャッタ部材７Ｄの軸受部４ｂを形成しており、下シャッタ部材７Ｄの中心孔の周囲に外方（下方）に向かって突設された大径の円筒体７Ｄａが軸筒として軸受部４ｂに挿通された後、先端部にカシメ加工が施されて抜け止め用のフランジ２１が形成され、この状態で下シャッタ部材７Ｄが回転可能に軸支されている。
【００２７】
一方、上シェル３の中心部には、アルミニウム合金で形成された小径の円筒体３ａが軸筒として内方へ向かって突設され、この円筒体３ａが上シャッタ部材７Ｕの中心孔に挿通された後、円筒体３ａの先端にカシメ加工が施されて、抜け止め用のフランジ２２が形成されている。上シェル３の上面には、バーリング加工のために空いた孔を塞ぐ役目を兼ねるラベル２０が貼りつけられている。
【００２８】
この場合、上シェル３全体をアルミニウム合金で作成し、これにバーリング加工または絞り加工によって軸筒としての円筒体３ａを形成してもよいが、図２（ａ）に示すように、上シェル３は剛性の高いステンレス鋼板で形成し、カシメ加工に適した軟質のアルミニウム合金等により別体として作成した円筒体３０を上シェルに溶接により固着してもよい。溶接の場合、図２（ｂ）に示すように、位置決め用の突起３ｃを絞り加工により上シェル３に予め形成しておいてもよい。その場合、上シェル３にはバーリング加工で生じるような孔がないので、上シェル３の剛性をさらに高めることができるとともに、カシメ加工性の良い軟質の材料で軸筒を形成することができる。また、孔がないことにより、カートリッジ内部への塵埃侵入防止に対しても有利である。
【００２９】
また、軸筒を円筒体でなく、図２（ｃ）に示すように、カシメ加工に適した軟質のアルミニウム合金等からなる密実の円柱体４０で軸筒を形成してもよい。その場合には、円柱体４０の上面の外周に沿って環状壁４０（ａ）を形成することにより、図２（ｄ）に示すように、カシメ加工による抜止め用フランジ４０ｂを容易に形成することができる。
【００３０】
図３は、本発明による磁気ディスクカートリッジの第２の実施の形態におけるロータリーシャッタの軸支構造を、図１に対応させて示す拡大断面図である。
【００３１】
図３においては、上シェル３の中心部に形成された小径の中心孔の周壁が、ハウジング内に入り込んで上シャッタ部材７Ｕの軸受部３ｂを形成しており、上シャッタ部材７Ｕの中心孔の周囲に外方（上方）に向かって突設されたアルミニウム合金からなる小径の円筒体７Ｕａが軸筒として軸受部３ｂに挿通された後、先端部にカシメ加工が施されて抜け止め用のフランジ２３が形成され、この状態で上シャッタ部材７Ｕが回転可能に軸支されている。
【００３２】
下シャッタ部材７Ｄの軸支部は図１に示す実施の形態と同様である。
【００３３】
以上の説明で明らかなように、上述の実施の形態によれば、下シャッタ部材７Ｄの軸支部における軸筒としての円筒体７Ｄａの先端部に対する抜け防止処理がカシメ加工によって施されるのみでなく、上シャッタ部材７Ｕの軸支部における軸筒としての円筒体３ａ（図１）または７Ｕａ（図３）の先端部に対する抜け防止処理もカシメ加工によって施されることにより、組立て時における溶接工程を無くすことができ、これによって、溶接工程に伴うスパッタ屑の発生が記録媒体としての磁気ディスクのデータの読み書きに悪影響を及ぼしたり、作業環境を汚染したりする問題が解決される。
【００３４】
そして、先端部にカシメ加工が施される比較的小径の軸筒３ａまたは７Ｕａを比較的軟らかい金属であるアルミニウム合金で形成したことにより、塑性変形（延伸）させやすいため、小径の軸筒先端部にカシメ加工に伴う割れが発生するのを防止することができる。
【図面の簡単な説明】
【図１】本発明による磁気ディスクカートリッジの第１の実施の形態におけるロータリーシャッタの軸支構造を示す拡大断面図
【図２】図１の軸筒の変形を示す断面図
【図３】本発明による磁気ディスクカートリッジの第２の実施の形態におけるロータリーシャッタの軸支構造を示す拡大断面図
【図４】図４（ａ）〜（ｃ）は、ロータリーシャッタが閉状態にあるときの従来の磁気ディスクカートリッジを示す平面図、右側面図および底面図
【図５】図５（ａ），（ｂ）は、ロータリーシャッタが開状態にあるときの図４の磁気ディスクカートリッジを示す平面図および底面図
【図６】図４の磁気ディスクカートリッジの分解斜視図
【図７】図４の磁気ディスクカートリッジの内部部品の位置関係を示す透視図
【図８】図４の磁気ディスクカートリッジにおけるロータリーシャッタの軸支構造を示す拡大断面図
【符号の説明】
１　　磁気ディスクカートリッジ
２　　フレーム
３　　上シェル
３ａ　　軸筒としての円筒体
４　　下シェル
４ａ　　中心孔
５　　磁気ディスク
７　　ロータリーシャッタ
７Ｕ　　上シャッタ部材
７Ｕａ　　軸筒としての円筒体
７Ｄ　　下シャッタ部材
７Ｄａ　　軸筒としての円筒体
１０　　センタコア
【図１】
2004127373.tif 000003
【図２】
2004127373.tif 000004
【図３】
2004127373.tif 000005
【図４】
2004127373.tif 000006
【図５】
2004127373.tif 000007
【図６】
2004127373.tif 000008
【図７】
2004127373.tif 000009
【図８】
2004127373.tif 000010